(57)【要約】【課題】  地上デジタル放送の受信装置において、放送のサービスエリアが移動にともなって逐次変わってゆく場合であっても、常に最新の番組情報を取得し、現在位置で受信可能な全ての番組情報を常にユーザに提供する。【解決手段】  デジタル放送受信装置１０は、複数のアンテナ１１、１２と、複数の受信/復調部１３，１４とを備えている。複数の受信/復調部１３，１４は、通常の受信時には、ダイバーシチによる受信及び復調を行って、第１のデジタルデータストリームを出力する。サーチ時には、複数のアンテナ及び複数の受信/復調部が２つのグループに分割される。一方のグループのアンテナ１１及び受信/復調部１３は、第１のデジタルデータストリームの受信及び出力を継続する。さらに、他方のグループのアンテナ１２及び受信/復調部１４は、他のチャネルを受信及び復調をして、番組情報が記述されたシステム情報を取得する。そして、取得したシステム情報から、現在受信可能な放送の番組情報リストを作成する。【選択図】図１
2005184548.tif 000002
【特許請求の範囲】
【請求項１】
デジタル放送の放送信号を受信するデジタル放送受信装置において、
複数のアンテナと複数の復調部とを有し、複数のアンテナ及び複数の復調部を用いてダイバーシチによる放送信号の受信及び復調を行って、その放送信号に変調されているデジタルデータストリームを復調することが可能な受信復調手段と、
上記受信復調手段により復調された上記デジタルデータストリームに含まれているコンテンツ情報を復号するコンテンツ復号手段と、
上記受信復調手段により復調された上記デジタルデータストリームに含まれているシステム情報を復号するシステム復号手段とを備え、
上記受信復調手段は、
通常の受信時には、複数のアンテナ及び複数の復調部を用いたダイバーシチにより任意のチャネルの放送信号の受信及び復調を行って、第１のデジタルデータストリームを出力し、
サーチ時には、上記複数のアンテナ及び複数の復調部を２つのグループに分割し、一方のグループのアンテナ及び復調部を用いて、上記通常の受信時に受信していた上記任意のチャネルの放送信号の受信及び復調をして上記第１のデジタルデータストリームの出力を継続するとともに、他方のグループのアンテナ及び復調部を用いて他のチャネルの放送信号を受信及び復調をして第２のデジタルデータストリームを出力すること
を特徴とするデジタル放送受信装置。
【請求項２】
上記システム復号手段は、上記サーチ時に、上記他のチャネルの放送信号のデジタルデータストリームから、当該デジタルデータストリームにより提供される内容に関する情報を記述したサービス情報を復号し、各チャネルに対応させて当該サービス情報を記憶しておくこと
を特徴とする請求項１記載のデジタル放送受信装置。
【請求項３】
上記システム復号手段は、上記サービス情報が既に記憶されている場合には、新たに取得したサービス情報により、既に記憶されているサービス情報を更新すること
を特徴とする請求項２記載のデジタル放送受信装置。
【請求項４】
上記受信復調手段は、上記サービス情報を記憶した後、上記通常時の処理を行うこと
を特徴とする請求項２記載のデジタル放送受信装置。
【請求項５】
上記受信復調手段は、上記任意のチャネルの放送信号の受信中に、上記サーチ時の処理を行うこと
を特徴とする請求項２記載のデジタル放送受信装置。
【請求項６】
上記受信復調手段は、上記サーチ時に、受信が可能な全ての他のチャネルに対して放送信号の受信及び復調をし、当該他のチャネルの放送信号に変調されたデジタルデータストリームを出力し、
上記システム復号手段は、受信が可能な全ての他のチャネルの上記サービス情報を復号して記憶すること
を特徴とする請求項２記載のデジタル放送受信装置。
【請求項７】
記憶されている上記サービス情報に基づき、各チャネルの放送信号で提供されている内容をユーザに通知するための表示画面を生成する画面生成部を備えていること
を特徴とする請求項２記載のデジタル放送受信装置。
【請求項８】
上記放送信号は、直交周波数分割多重変調された地上波の信号であり、
上記復調部は、直交周波数分割多重変調信号を復調すること
を特徴とする請求項１記載のデジタル放送受信装置。
【請求項９】
上記デジタルデータストリームは、ＩＳＯ/ＩＥＣ  １３８１８−１に規定されたトランスポートストリームであること
を特徴とする請求項８記載のデジタル放送受信装置。
【請求項１０】
上記デジタルデータストリームに含まれているシステム情報は、ＰＳＩ（Program Specific Information）及びＳＩ（Service Information）であること
を特徴とする請求項９記載のデジタル放送受信装置。
【請求項１１】
上記システム復号手段は、上記サーチ時に、上記他のチャネルの放送信号に変調されたトランスポートストリームから、ＡＲＩＢ  ＳＴＤ  Ｂ１０に規定されたＥＩＴ（Event Information Table）を復号し、そのＥＩＴの内容を記憶しておくこと
を特徴とする請求項１０記載のデジタル放送受信装置。
【発明の詳細な説明】
【技術分野】
【０００１】
本発明は、例えばデジタル地上波放送等を受信するためのデジタル放送受信装置に関するものである。
【背景技術】
【０００２】
現在、映像及び音声の圧縮伝送方式のひとつであるMPEG-2 Systems（ISO/IEC 13818-1）を利用したデジタル放送が実用化されている。
【０００３】
デジタル放送では、音声及び映像等のコンテンツ情報以外の放送を受信するために必要となるシステム情報を、MPEG-2 Systemsに規定されたトランスポートストリームの中に含めて送信する。このようなシステム情報は、MPEG-2 Systemsで規定されたＰＳＩ（Program Specific Information）及び各種デジタル放送規格で規定されるＳＩ（Service Information）と称された各種テーブルに記述されて伝送される。
【０００４】
日本におけるデジタル放送の規格であるＩＳＤＢ-Ｔでは、放送されているサービスやイベントの内容を示す情報を、システム情報に含めて伝送することが規定されている。例えば、ＩＳＤＢ-Ｔでは、放送されているサービスやイベントの内容を示す情報を、ＳＩの中のＳＤＴ（Service Description Table）及びＥＩＴ（Event Information Table）と呼ばれるテーブルに記述することを規定している（非特許文献１、２参照。）。このため、受信側では、ＳＤＴ及びＥＩＴを参照して、例えば、イベントのタイトル、簡単な内容、開始時間や終了時刻、内容を示す番組案内表のような番組ガイド情報を作成し、視聴又は録画するイベントの選択の利便性を図ることができる。
【特許文献１】特開２００１−４５３９３号公報
【非特許文献１】「地上デジタル放送の伝送方式  ＡＲＩＢ  ＳＴＤ-Ｂ１０  ３．７版」，社団法人電波産業界，平成１５年６月５日  策定,平成９年９月１９日
【非特許文献２】「地上デジタル放送の伝送方式  ＡＲＩＢ  ＳＴＤ-Ｂ３０  １．１版」，社団法人電波産業界，平成１３年５月３１日  策定,平成１５年７月２９日
【発明の開示】
【発明が解決しようとする課題】
【０００５】
ところで、放送衛星や通信衛星等から放送信号が配信されるデジタル放送では、受信機を所定の位置で固定したままの状態で受信を行う固定受信が前提となっており、受信機の位置を一度設定したら移動することはない。そのため、例えば、視聴や録画を行っていない深夜等に、各チャネルのＰＳＩ及びＳＩを自動的に取得して、数日分の番組ガイド情報を作成することができる。従って、従来の放送衛星や通信衛星等から配信されるデジタル放送では、番組ガイド情報が作成されていないという状態がほとんど発生せず、ユーザは常時、イベントの選択を行うことができた。
【０００６】
しかしながら、地上の放送局から放送信号が配信される地上放送デジタル放送では、移動しながら受信を行う移動受信が可能となっており、受信可能な放送局が移動位置に応じて変化する。そのため、移動受信を行っている場合には、イベント選択のための番組ガイドを予め作成していたとしても、それがあまり有効に活用できない状況が発生する場合があった。例えば、ある放送局の放送信号を移動しながら受信している最中に、新たな放送局の放送信号が受信できるサービスエリアまで移動してしまった場合、新たな放送局のＳＤＴやＥＩＴ等がまだ取得されていないために番組ガイド情報に新たな放送局に関する情報が反映されていないという状態が発生する場合があった。このような状態ときには、予め記憶されている番組ガイドを有効に活用することができない。
【０００７】
本発明は、以上のような問題を鑑みてなされたものであり、放送のサービスエリアが移動にともなって変わってゆく場合であっても、常に最新のサービスやイベント等に関する情報を取得し、現在位置で受信可能な全ての放送信号に関する番組情報を常にユーザに提供することができるデジタル放送受信装置を提供することを目的とする。
【課題を解決するための手段】
【０００８】
本発明に係るデジタル放送受信装置は、複数のアンテナと複数の復調部とを有し、複数のアンテナ及び複数の復調部を用いてダイバーシチによる放送信号の受信及び復調を行って、その放送信号に変調されているデジタルデータストリームを復調することが可能な受信復調手段と、上記受信復調手段により復調された上記デジタルデータストリームに含まれているコンテンツ情報を復号するコンテンツ復号手段と、上記受信復調手段により復調された上記デジタルデータストリームに含まれているシステム情報を復号するシステム復号手段とを備えている。
【０００９】
上記受信復調手段は、通常の受信時とサーチ時とで異なる処理を行う。
【００１０】
上記受信復調手段は、通常の受信時には、複数のアンテナ及び複数の復調部を用いたダイバーシチによる任意のチャネルの放送信号の受信及び復調を行って、第１のデジタルデータストリームを出力する。
【００１１】
上記受信復調手段は、サーチ時には、上記複数のアンテナ及び複数の復調部を２つのグループに分割し、一方のグループのアンテナ及び復調部を用いて、上記通常の受信時に受信していた上記任意のチャネルの放送信号の受信及び復調をして上記第１のデジタルデータストリームの出力を継続するとともに、他方のグループのアンテナ及び復調部を用いて他のチャネルの放送信号を受信及び復調をして第２のデジタルデータストリームを出力する。
【００１２】
上記受信復調手段は、通常時における処理中に、適宜、サーチ時の処理を行う。
【発明の効果】
【００１３】
本発明に係るデジタル放送受信装置では、通常時における処理中に、適宜、サーチ時の処理を行う。通常時には複数のアンテナ及び複数の受信部を用いてダイバーシチによる受信及び復調を行い、サーチ時には一部のアンテナ及び復調部を用いて他のチャネルの受信及び復調を行って、他のチャネルの各種情報を取得する。このことにより、本発明に係るデジタル放送受信装置では、移動に伴い放送のサービスエリアが変わってゆく場合であっても、常に最新のサービスやイベント等の情報を取得し、受信可能な全ての放送信号に関する番組情報を常にユーザに提供することができる。
【発明を実施するための最良の形態】
【００１４】
以下、本発明の実施の形態として、地上デジタル放送信号を受信及び復調して、映像信号及び音声信号を出力する地上デジタル放送受信装置に本発明を適用した装置について説明をする。
【００１５】
なお、以下説明を行う地上デジタル放送受信装置は、日本で採用されている地上デジタル放送の放送規格（ＩＳＤＢ−Ｔ）に対応した装置である。すなわち、放送局から放送された放送信号は、MPEG-2 Systems（ISO/IEC 13818-1）に規定されたトランスポートストリームをリードソロモン符号化、畳み込み符号化、時間及び周波数インタリーブ化する伝送路符号化処理を行い、続いて、ＩＦＦＴ（Inverse Fast Fourier Transform）演算及びガードインターバルの付加処理等のＯＦＤＭ変調処理が行われた信号である。
【００１６】
（全体構成）
図１に、本発明を適用した地上デジタル放送受信装置１０のブロック構成図を示す。
【００１７】
地上デジタル放送受信装置１０は、図１に示すように、第１のアンテナ１１と、第２のアンテナ１２と、第１の受信/復調部１３と、第２の受信/復調部１４と、ダイバーシチ制御部１５と、ＴＳデコード部１６と、音声デコード部１７と、映像デコード部１８と、ＯＳＤ（オンスクリーンディスプレイ）処理部１９と、システム制御部２０とを備えている。
【００１８】
第１のアンテナ１１及び第２のアンテナ１２は、放送局から放送された地上デジタル放送信号を受信するアンテナである。第１のアンテナ１１及び第２のアンテナ１２は、互いに空間的な配置位置や指向性の方向等が変えられており、ダイバーシチによる受信及び復調を効率的に行えるような空間配置がされている。
【００１９】
第１の受信/復調部１３は、第１のアンテナ１１により受信されたＲＦ信号が入力され、このＲＦ信号からＩＦ信号を生成し、ＩＦ信号をＯＦＤＭ復調する。第２の受信/復調部１４は、第２のアンテナ１２により受信されたＲＦ信号が入力され、このＲＦ信号からＩＦ信号を生成し、ＩＦ信号をＯＦＤＭ復調する。
【００２０】
具体的には、第１の受信/復調部１３及び第２の受信/復調部１４は、選局チャネルの中心周波数と同一の基準信号を発生する局部発振器及び乗算器によりＲＦ信号を周波数変換し、その後、バンドパスフィルタによりフィルタリングしてＩＦ信号を生成する。第１の受信/復調部１３及び第２の受信/復調部１４は、そのＩＦ信号に対して、以後、Ａ／Ｄ変換処理、デジタル直交復調処理、ＦＦＴ演算処理、キャリア復調処理、周波数及び時間デインタリーブ、ビタビ復号処理、階層処理、トランスポートストリーム生成処理、及び、リードソロモン復号処理等を行うことによって、ＯＦＤＭ復調処理並びに伝送路復号処理を行う。第１の受信/復調部１３及び第２の受信/復調部１４は、以上のＯＦＤＭ復調処理並びに伝送路復号処理を行うことによって、選局したチャネルに変調されていたトランスポートストリームを出力することができる。
【００２１】
ここで、第１の受信/復調部１３及び第２の受信/復調部１４は、それぞれ単独で独立した受信及び復調の動作（以下シングル受信動作という。）が可能であるとともに、第１の受信/復調部１３及び第２の受信/復調部１４の両者の共同動作による受信及び復調の動作（以下、ダイバーシチ受信動作という。）が可能である。シングル受信動作を行った場合には、第１の受信/復調部１３及び第２の受信/復調部１４が互いに異なるチャネルから放送信号を受信して復調が可能となるので、２本のトランスポートストリームが出力されることとなる。ダイバーシチ受信動作を行う場合には、第１の受信/復調部１３及び第２の受信/復調部１４が同一のチャネルにチューニングされ、１つのチャネルの放送信号を受信して１つのトランスポートストリームが出力されることとなる。
【００２２】
なお、ダイバーシチの方式は、どのような方式を採用してもよい。ここでは、例えばチャネルレベル合成方法といったダイバーシチ方式を採用することができる。
【００２３】
ダイバーシチ制御部１５は、ダイバーシチ受信動作とシングル受信動作との切換の制御を行う。ダイバーシチ制御部１５は、ダイバーシチ受信動作時には、第１及び第２の受信/復調部１３，１４が行う信号合成や切換のコントロールや、生成された１本のトランスポートストリームの出力制御等を行う。また、ダイバーシチ制御部１５は、シングル受信動作時には、第１及び第２の受信/復調部１３，１４のそれぞれから出力された２本のトランスポートストリームの出力制御等を行う。このようなダイバーシチ制御部１５から出力されたトランスポートストリームは、ＴＳデコード部１６に入力される。
【００２４】
ＴＳデコード部１６は、ＴＳパケットのヘッダに付けられているＰＩＤ（Packet ID）を解釈し、入力されたトランスポートストリームをＴＳパケット単位で音声データ、映像データ又はシステム情報に分離する。ＴＳデコード部１６は、ＴＳパケットが音声データのパケットであればそのペイロード部分を音声デコード部１７に供給し、ＴＳパケットが映像データのパケットであればそのペイロード部分を映像デコード部１９に供給し、ＴＳパケットがシステム情報（ＰＳＩ及びＳＩ）のパケットであればそのペイロード部分をシステム制御部２０に供給する。
【００２５】
また、復号されたトランスポートストリームに複数のサービスが含まれている場合、ＰＩＤを解釈して、選択された１のサービスに関する音声データ及び映像データのＴＳパケットのみを抽出する。
【００２６】
音声デコード部１７は、入力された圧縮音声データに対してデコード処理を行い、所定のオーディオフォーマットの音声信号を生成する。音声デコード部１７により復号された音声信号は、オーディオ出力端子を介して、図示しない音声出力装置や記録装置に供給される。
【００２７】
映像デコード部１８は、入力された圧縮映像データに対してデコード処理を行い、所定のオーディオフォーマットの音声信号を生成する。映像デコード部１８により復号された映像信号は、ＯＳＤ処理部１９に供給される。
【００２８】
ＯＳＤ処理部１９は、例えば、システム制御部２０により生成された番組ガイド情報提供画面、各種選択画面、字幕データ等（ＯＳＤ（オンスクリーンディスプレイ）画像）を、映像デコード部１８により生成された映像信号に合成する。ＯＳＤ画像が合成された映像信号は、ビデオ出力端子を介して、図示しない表示装置や記録装置に供給される。
【００２９】
システム制御部２０は、ユーザによる操作入力の受け付け、受信/復調部１３、１４及びダイバーシチ制御部１５に対する各種制御を行う。
【００３０】
さらに、システム制御部２０は、ＴＳデコード部１６により分離されたシステム情報（ＰＳＩ/ＳＩ）の解釈を行って番組ガイド情報画面等のＯＳＤ画像の生成を行うとともに、その番組ガイド情報画面に基づく操作入力に応じて出力するサービスやイベントの切換を行う。
【００３１】
（番組ガイド情報）
つぎに、地上デジタル放送受信装置１０が生成する番組ガイド情報画面について説明をする。
【００３２】
番組ガイド情報画面とは、ユーザが視聴する番組（イベント）を選択するために必要となる各種の情報が表示された画面であり、ＯＳＤ画像として表示装置に表示される。番組ガイド情報画面は、例えば、図２のＯＳＤ画面３１に示すように、サービス名（例えば、放送提供業者）３２、提供時間（開始時刻と終了時刻）３３、その番組（イベント）のタイトル３４、その番組（イベント）の内容３５等が、視覚的にわかるように提供された画面である。
【００３３】
なお、MPEG-2 Systemsを利用したデジタル放送では、一般に、ニュースやドラマ等の提供するコンテンツ単位を「イベント」と称し、複数のイベントが時間方向に連続して編成された単位を「サービス」と称している。つまり、イベントは、従来のアナログ放送での「番組」に対応し、「サービス」は従来のアナログ放送でのＮＨＫ総合、ＮＨＫ教育といった「放送チャンネル」に対応する。そして、１又は複数のサービスがMPEG-2 Systemsに規定された一本のトランスポートストリームに多重化されて放送される。
【００３４】
ユーザは、このような番組ガイド情報画面を参照することにより、現在又は将来に提供される番組（イベント）を知ることができ、さらに、この番組ガイド情報画面から特定の番組（イベント）を選択することによって、自動的にその番組（イベント）を出力して視聴や録画を行うことができる。
【００３５】
ここで、番組ガイド情報画面は、システム情報（ＰＳＩ/ＳＩ）のうちの、ＮＩＴ（Network Information Table）、ＳＤＴ（Service Description Table）及びＥＩＴ（Event Information Table）等の参照を行って、システム制御部２０が作成する。
【００３６】
ＮＩＴは、そのトランスポートストリームが含まれているチャネルの物理的な受信条件（チャネル番号、中心周波数等）等が記述されているテーブルである。図３に示すように、デジタル放送が放送される全帯域は、複数のチャネル（例えばＩＳＤＢ-Ｔであれば帯域幅６ＭＨｚ）に分割されている。各チャネルには、中心周波数及びチャネル番号が割り当てられている。そして、各チャネルには、１本のトランスポートストリームがＯＦＤＭ変調されて伝送されている。ＮＩＴには、このような物理的な条件が記述されている。また、ＮＩＴには、自分のトランスポートストリームに関する受信条件を記述したものと、他のトランスポートストリームに関する受信条件を記述したものがあり、システム制御部２０は、それらのＮＩＴを参照することにより、選局チャネルを他のチャネル切り換えることが可能となる。
【００３７】
ＳＤＴは、図３に示すように、そのトランスポートストリームで提供されているサービスに関する情報（サービスＩＤ，サービス名等）、並びに、そのサービスがどのトランスポートストリームで提供されているかといった情報等が記述されているテーブルである。トランスポートストリームには、１又は複数のサービスが含まれており、ＳＤＴはトランスポートストリーム中の各サービスのそれぞれに設定されている。なお、ＩＳＤＢ-Ｔでは、トランスポートストリーム中には、自分が提供しているサービスに関するＳＤＴのみしか含まれておらず、他のトランスポートストリームで提供されているサービスに関するＳＤＴは含まれていない。システム制御部２０は、ＳＤＴを参照することにより、サービス内容の提供及びサービスの切り換えを行うことが可能となる。
【００３８】
ＥＩＴは、図３に示すように、そのサービスで提供されているイベントに関する情報（イベントＩＤ，イベント名，イベントの開始時刻、継続時間、そのイベントの進行状態等）が記述されているテーブルである。システム制御部２０は、ＥＩＴを参照することにより、番組ガイド情報画面を生成すること、並びに、番組ガイド情報から特定の番組を選択することによるチャネル切り換え等を行うことができる。なお、ＩＳＤＢ-Ｔでは、トランスポートストリーム中には、自分が提供しているイベントに関するＥＩＴのみしか含まれておらず、他のトランスポートストリームで提供されているイベントに関するＥＩＴは含まれていない。また、ＥＩＴには、８日間分のイベントが記述されているものと、現在のイベント及び次のイベントのみが記述されているものと２種類ある。現在のイベント及び次のイベントのみが記述されているＥＩＴの方が、送信頻度が高くなっている。
【００３９】
システム制御部２０は、以上のようなＮＩＴ、ＳＤＴ及びＥＩＴ等を取得して、番組ガイド情報画面の作成並びに選択されたイベントの出力を行うことができる。
【００４０】
（受信動作）
つぎに、地上デジタル放送受信装置１０の受信動作について説明をする。
【００４１】
まず、通常の受信時には、ＥＩＴに基づき作成された番組ガイド情報画面を用いて、任意のイベントが選択される。システム制御部２０は、ユーザによりイベントが選択されると、ＳＤＴ及びＮＩＴを参照して、そのイベントが提供されているサービス及びチャネルを特定する。
【００４２】
システム制御部２０は、ユーザにより選択されたイベントの受信開始命令が与えられると、第１の受信/復調部１３及び第２の受信/復調部１４に対して、特定したチャネルにチューニングをさせるとともにダイバーシチ受信動作を行わせる。このため、ダイバーシチ制御部１５からは、特定されたチャネルに伝送されている１本のトランスポートストリームが出力される。さらに、システム制御部２０は、ＴＳデコーダ１６に対して、特定されたサービスのＴＳパケットのみを抜き出させるとともに、抜き出したＴＳパケットを音声デコード部１７及び映像デコード部１８に供給させる。このため、音声デコード部１７及び映像デコード部１８からは、ユーザ等により選択されたイベントの音声信号及び映像信号が出力される。
【００４３】
さらに、システム制御部２０は、以上のような通常の受信処理を行っている最中に、定期的に（例えば、５分毎に）、図４に示すサーチ処理を行う。以下、このサーチ処理について説明する。
【００４４】
システム制御部２０は、サーチ処理を開始すると、まず、受信状態が悪いか否かを判断する（ステップＳ１）。受信状態が悪いか否かは、例えば、受信信号のＳ/Ｎ比を検出して判断したり、トランスポートストリームのエラーレートを検出して判断したりする。受信状態が悪くはないと判断した場合には、そのままサーチ処理を終了する。一方、ステップＳ１で受信状態が悪いと判断した場合には、システム制御部２０は、続くステップＳ２の処理を行う。
【００４５】
なお、ステップＳ１で現在の受信状態が悪いか否かを判断するのは、現在移動位置が、現在受信中の放送局のサービスエリアの周縁部分に位置するか否かを判断したいためである。すなわち、サービスエリアの周縁部分では一般に放送信号の強度が弱くなるので、受信状態の良し悪しをサービスエリアの周縁部分に位置しているかどうかの判断に代えて用いている。しかしながら、例えば、ＧＰＳにより検出された現在位置情報等の、自分がサービスエリアの周縁部分に位置するか否かを判断できる他の情報があれば、その情報を用いて以下の処理を行うか否かを判断してもよい。
【００４６】
続いて、ステップＳ２では、システム制御部２０は、第１の受信/復調部１３及び第２の受信/復調部１４の動作を、ダイバーシチ受信動作からシングル受信動作に変更し、一方の受信/復調部（ここでは、第１の受信/復調部１３とする。）に対して、現在選択されているチャネル及びサービスの受信及び復調を続行させる（ステップＳ２）。従って、地上デジタル放送受信装置１０では、サーチ処理時であっても、通常の受信時に出力されていたサービスが途切れることなく出力され続ける。
【００４７】
続いて、ステップＳ３において、システム制御部２０は、他方の受信/復調部（ここでは、第２の受信/復調部１４とする。）に対して、受信可能な他のチャネルの周波数を全てスキャンさせ、移動にともなって新たに受信可能となったサービス、並びに、移動にともなって受信が不可能になったサービスを特定する。さらに、新たに受信が可能となったサービスが含まれているトランスポートストリームからＮＩＴ、ＳＤＴ及びＥＩＴを取得する。
【００４８】
続いて、ステップＳ４において、システム制御部２０は、現在受信可能なサービスのリストを生成するとともに、各サービスで提供されているイベントに関する情報のリストを作成し、これらを内部に記憶する。また、元々このようなリストが内部に記憶されていた場合には、元のリストの内容を削除して、新たなリストの内容に更新する。このリストは、番組ガイド情報画面を作成するとともに、選択されたイベントを受信するために必要な情報のリストである。
【００４９】
続いて、ステップＳ５において、システム制御部２０は、第１の受信/復調部１３及び第２の受信/復調部１４の動作をシングル受信動作からダイバーシチ受信動作に変更し、２つの受信/復調部に対して現在選択されているチャネル及びサービスの受信及び復調を行わせる。
【００５０】
システム制御部２０は、ステップＳ５の処理をおけると、通常の受信状態に戻り、以下定期的（例えば５分毎）に以上ステップＳ１からステップＳ５までの処理を繰り返し行う。
【００５１】
以上のようにデジタル放送受信装置１０では、通常の受信時には複数のアンテナ及び複数の受信/復調部を用いたダイバーシチ受信を行い、さらに、適宜サーチ処理を行う。サーチ処理時には、ダイバーシチ受信で用いていた複数のアンテナ及び複数の受信/復調部を二つに分割し、それぞれシングル受信動作を行わせる。一方のアンテナ及び受信/復調部では、これまで受信していたチャネルの受信及び復調を続行させる。他方のアンテナ及び受信/復調部では、他のチャネルのシステム情報（ＰＳＩ/ＳＩ）を取得する。
【００５２】
このことにより、デジタル放送受信装置１０では、放送のサービスエリアが移動に伴って変わってゆく場合であっても、常に最新のサービスやイベント等の情報を取得し、受信可能な全ての放送信号に関する番組情報を常にユーザに提供することができる。
【００５３】
なお、最良の実施形態として説明したデジタル放送受信装置１０では、アンテナ並びに受信/復調部がそれぞれ２つずつの構成の例を示したが、ダイバーシチ受信は、２つのアンテナ等に限らず、３、４個といった構成でも可能である。アンテナ並びに受信/復調部が３個以上ある構成の場合は、サーチ処理時にそれらを２つのグループに分割し、一方のグループを現在受信しているサービスの出力の継続に用い、他方を他のサービスのサーチに用いるようにする。従って、本発明は、３個以上のアンテナ及び受信/復調部を用いたダイバーシチ受信を行うデジタル放送受信装置に適用することも可能である。
【図面の簡単な説明】
【００５４】
【図１】本発明を適用した地上デジタル放送受信装置のブロック構成図である。
【図２】番組ガイド情報画面を示す図である。
【図３】チャネル、サービス及びイベントの関係を示した図である。
【図４】地上デジタル放送受信装置の動作を示すフローチャートである。
【符号の説明】
【００５５】
１０  地上デジタル放送受信装置、１１  第１のアンテナ、１２  第２のアンテナ、１３、第１の受信/復調部、１４  第２の受信/復調部、１５  ダイバーシチ制御部、１６  ＴＳデコード部、１７  音声デコード部、１８  映像デコード部、１９  ＯＳＤ処理部、２０  システム制御部
【図１】
2005184548.tif 000003
【図２】
2005184548.tif 000004
【図３】
2005184548.tif 000005
【図４】
2005184548.tif 000006